(57)【要約】  巻芯（１１）の周方向に沿って巻き付けられるロール体（１０）のシート（１２）において、各第１領域（１２Ａ）と各第２領域（１２Ｂ）とは第１の方向に沿って延びる帯状を有するとともに、第１の方向に沿う縁を含んでいる。その縁は延在方向（Ｄ１）と幅方向（Ｄ２）との両方に交差する方向に沿って延び、第１領域（１２Ａ）と第２領域（１２Ｂ）とは、交互に隣り合って並ぶ。これによって、第１領域（１２Ａ）が巻き付けられる部位、および、第２領域（１２Ｂ）が巻き付けられる部位が変化することで、巻芯（１１）に巻き付けられたシート（１２）において皺の発生が抑えられる。
2018101426.tif 000002
【特許請求の範囲】
【請求項１】
軸方向に沿って延びる筒状を有するように巻き重ねられた多層体であるシートを備え、  前記シートは、前記シートが広げられた状態において延在方向に沿って延びる帯状を有し、  前記延在方向と直交する方向が幅方向であり、  前記シートは、複数の第１領域と複数の第２領域とから構成されるパターン区分領域を含み、  前記各第１領域と前記各第２領域とは第１の方向に沿って延びる帯状を有するとともに、前記第１の方向に沿う縁を含み、前記縁は前記延在方向と前記幅方向との両方に交差する方向に沿って延びる形状を有し、  前記パターン区分領域において、前記第１領域と前記第２領域とが、交互に隣り合って並び、  前記シートは、支持層と、前記支持層に支持されるパターン構造とから構成され、前記パターン構造は、前記シートの表面において凸部を形成する複数の要素パターン構造から構成され、  前記第1領域における要素パターン構造の密度が、前記第２領域における要素パターン構造の密度と異なること、および、  前記第１領域における要素パターン構造の配置が、前記第２領域における要素パターン構造の配置と異なることの少なくとも一方を満たす  ロール体。
【請求項２】
軸方向に沿って延びる筒状を有するように巻き重ねられた多層体であるシートを備え、  前記シートは、前記シートが広げられた状態において延在方向に沿って延びる帯状を有し、  前記シートは、複数の第１領域と複数の第２領域とから構成されるパターン区分領域を含み、  前記各第１領域と前記各第２領域とは、第１の方向に沿って延びる形状を有し、  前記パターン区分領域において、前記第１領域と前記第２領域とは交互に隣り合って並び、  前記各第１領域は、前記第１の方向に沿う縁を含み、前記シートの周方向における前記各第１領域の前記縁の位置は、前記軸方向に沿って連続的に変わり、  前記シートは、支持層と、前記支持層に支持されるパターン構造とから構成され、前記パターン構造は、前記シートの表面において凸部を形成する複数の要素パターン構造から構成され、  前記第1領域における要素パターン構造の密度が、前記第２領域における要素パターン構造の密度と異なること、および、  前記第１領域における要素パターン構造の配置が、前記第２領域における要素パターン構造の配置と異なることの少なくとも一方を満たす  ロール体。
【請求項３】
前記ロール体は、前記軸方向に沿って延びるとともに、外周面を有する巻芯をさらに備え、  前記シートは、前記巻芯の前記外周面に沿って前記外周面に巻き付けられている  請求項１または２に記載のロール体。
【請求項４】
前記第１の方向は、前記延在方向と前記幅方向との両方に交差する  請求項１に記載のロール体。
【請求項５】
前記シートの前記周方向における前記各第１領域の位置が、前記軸方向に沿って連続的に変わる  請求項２に記載のロール体。
【請求項６】
前記要素パターン構造は、前記第１領域のみに位置する  請求項１から５のいずれか一項に記載のロール体。
【請求項７】
前記要素パターン構造は、前記第１領域の全体にわたって所定の厚さを有した帯状を有する  請求項６に記載のロール体。
【請求項８】
前記パターン構造を含み、前記支持層に支持される凹凸構造体であるパターン層を備え、  前記第１領域は、前記パターン層のなかで前記要素パターン構造を含む厚い部分であり、  前記第２領域は、前記パターン層のなかで前記要素パターン構造を含まない薄い部分である  請求項１から５のいずれか一項に記載のロール体。
【請求項９】
前記パターン構造は、前記シートが拡がる平面と対向する平面視において、互いに異なる形状を有した２種類以上の前記要素パターン構造を含む  請求項１から５のいずれか一項に記載のロール体。
【請求項１０】
前記複数の要素パターン構造は、前記シートが拡がる平面と対向する平面視において、互いに同じ形状を有する  請求項１から５のいずれか一項に記載のロール体。
【請求項１１】
前記パターン構造は、複数の要素パターン構造群を含み、  前記各要素パターン構造群は、前記複数の要素パターン構造から構成され、  前記各第１領域および前記各第２領域は、前記要素パターン構造群を含み、  前記各第１領域に属する前記要素パターン構造の数と、前記各第２領域に属する前記要素パターン構造の数とが、互いに異なる  請求項１から５のいずれか一項に記載のロール体。
【請求項１２】
軸方向に沿って延びる筒状を有するように巻重ねられた多層体であるシートを備え、  前記シートは、前記シートが広げられた状態において延在方向に沿って延びる帯状を有し、  前記シートは、支持層と、前記シートの表面に形成され、前記延在方向に沿って周期的に並ぶ複数の要素パターン構造群とを含み、  前記各要素パターン構造群は、前記支持層に支持されて前記シートの表面において凸部を形成する複数の要素パターン構造から構成され、  前記シートが拡がる平面と対向する平面視において、１つの前記要素パターン構造群を構成する前記複数の要素パターン構造の集まりを前記各要素パターン構造の縁の少なくとも一部に接する包絡輪郭線で取り囲むことによって区画される領域が要素パターン構造群領域であり、  前記延在方向と平行な線が基準線であり、  前記延在方向と直交する方向が幅方向であり、  前記幅方向における前記要素パターン構造群領域の一方の端部から前記基準線までの長さが、前記延在方向に沿って周期的に変わる  ロール体。
【請求項１３】
前記凸部は、  前記シートが拡がる平面と対向する平面視において、直線状または円弧状を有する複数のプリズムが１つの方向に沿って連なるプリズム群を少なくとも１つ含み、  前記各プリズムは、  前記シートの幅方向における断面において、頂点を挟む両側で傾斜角が互いに異なる非対称プリズムである  請求項１から１２のいずれか一項に記載のロール体。
【発明の詳細な説明】
【技術分野】
【０００１】  本開示は、ロール体に関する。
【背景技術】
【０００２】  転写箔は、例えば、所定の形状を有するパターン層と、パターン層を支持する支持層とを含むシートを備え、こうした転写箔は、ロールツーロール法を用いて製造されることがある（例えば、特許文献１参照）。転写箔の製造過程では、転写箔を製造する途中や転写箔が完成したときなどに、転写箔を保管したり、転写箔の中間体を１つの装置から他の装置に移動させたりするために、転写箔あるいは中間体のシートが巻芯に巻き取られる。
【先行技術文献】
【特許文献】
【０００３】
【特許文献１】特開２０１３−１４４４４０号公報
【発明の概要】
【発明が解決しようとする課題】
【０００４】  シートは、延在方向に沿って延びる帯状を有し、巻芯の周方向に沿って巻芯に巻き付けられる。シートのパターン層は、延在方向に沿って延びる直線状を有した第１領域と、同じく延在方向に沿って延びる直線状を有するとともに、第１領域よりも薄い第２領域とを有する場合がある。こうしたシートが巻芯に巻き取られると、巻芯のなかで、第１領域が巻き付けられる部位と、第２領域が巻き付けられる部位とが、軸方向において固定される、すなわち、変化しない。これにより、ロール体には、巻芯の軸方向において、巻芯の径方向に沿う厚さが厚い部分と薄い部分とが形成される。結果として、シートには、軸方向における互いに異なる部分間での厚さの違いに起因して皺が形成され、転写箔の歩留まりが低くなってしまう。【０００５】  なお、こうした課題は、転写箔が備えるシートに限らず、巻芯と巻芯の周方向に沿って巻芯の外周面に巻き付けられるシートとを備えるロール体、また、巻芯に巻き付けられた後に、巻芯が抜き取られたシートを備えるロール体に共通している。  本開示は、巻芯に巻き付けられた後のシートにおいて皺が生じることを抑えることを可能としたロール体を提供することを目的とする。
【課題を解決するための手段】
【０００６】  上記課題を解決するためのロール体は、軸方向に沿って延びる筒状を有するように巻き重ねられた多層体であるシートを備え、前記シートは、前記シートが広げられた状態において、延在方向に沿って延びる帯状を有する。前記延在方向と直交する方向が幅方向であり、前記シートは、複数の第１領域と複数の第２領域とから構成されるパターン区分領域を含む。前記各第１領域と前記各第２領域とは第１の方向に沿って延びる帯状を有するとともに、前記第１の方向に沿う縁を含み、前記縁は前記延在方向と前記幅方向との両方に交差する方向に沿って延びる形状を有する。前記パターン区分領域において、前記第１領域と前記第２領域とが、交互に隣り合って並ぶ。前記シートは、支持層と、前記支持層に支持されるパターン構造とから構成される。ロール体は、前記第１領域における要素パターン構造の密度が、前記第２領域における要素パターン構造の密度と異なること、および、前記第１領域における要素パターン構造の配置が、前記第２領域における要素パターン構造の配置と異なることの少なくとも一方を満たす。【０００７】  上記構成によれば、第１領域の縁と第２領域の縁とが、それぞれ延在方向と幅方向との両方に交差する方向に沿って延び、かつ、第１領域と第２領域とが交互に並ぶため、巻芯のなかで、第１領域の縁が巻き付けられる部位と、第２領域の縁が巻き付けられる部位とが、軸方向において固定されない。それゆえに、第１領域と第２領域との境界において、巻芯の径方向に沿う厚さの差が緩和されやすくなり、巻芯の軸方向において、巻芯の径方向に沿う厚さが急激に変わることが抑えられる。結果として、巻芯に巻き付けられたシートにおいて皺が生じることが抑えられる。【０００８】  上記課題を解決するためのロール体は、軸方向に沿って延びる筒状を有するように巻き重ねられた多層体であるシートを備え、前記シートは、前記シートが広げられた状態において延在方向に沿って延びる帯状を有する。前記シートは、複数の第１領域と複数の第２領域とから構成されるパターン区分領域を含み、前記各第１領域と前記各第２領域とは、第１の方向に沿って延びる形状を有する。前記パターン区分領域において、前記第１領域と前記第２領域とは交互に隣り合って並ぶ。前記各第１領域は、前記第１の方向に沿う縁を含み、前記シートの周方向における前記各第１領域の前記縁の位置は、前記軸方向に沿って連続的に変わる。前記シートは、支持層と、前記支持層に支持されるパターン構造とから構成され、前記パターン構造は、前記シートの表面において凸部を形成する複数の要素パターン構造から構成される。ロール体は、前記第１領域における要素パターン構造の密度が、前記第２領域における要素パターン構造の密度と異なること、および、前記第１領域における要素パターン構造の配置が、前記第２領域における要素パターン構造の配置と異なることの少なくとも一方を満たす。【０００９】  上記構成によれば、巻芯の周方向における第１領域の縁の位置が軸方向に沿って連続的に変わる、言い換えれば、巻芯において、第１領域の縁が巻き付けられる部位と、第２領域の縁が巻き付けられる部位とが、軸方向において固定されない。そのため、第１領域と���２領域との境界において、巻芯の径方向に沿う厚さの差が緩和されやすくなり、巻芯の軸方向において、巻芯の径方向に沿う厚さが急激に変わることが抑えられる。それゆえに、巻芯に巻き付けられたシートに皺が生じることが抑えられる。【００１０】  上記ロール体において、前記ロール体は、前記軸方向に沿って延びるとともに、外周面を有する巻芯をさらに備え、前記シートは、前記巻芯の前記外周面に沿って巻き付けられてもよい。上記構成によれば、シートが巻芯によって支持されるため、シートの形状が変わりにくい。【００１１】  上記ロール体において、前記第１の方向は、前記延在方向と前記幅方向との両方に交差してもよい。【００１２】  上記構成によれば、第１領域と第２領域とが、それぞれ延在方向と幅方向との両方に交差する第１の方向に沿って延び、かつ、第１領域と第２領域とが交互に並ぶため、巻芯のなかで、第１領域の縁が巻き付けられる部位と、第２領域の縁が巻き付けられる部位とが、軸方向において固定されない。それゆえに、巻芯の軸方向において、巻芯の径方向に沿う厚さのばらつきが抑えられる。結果として、巻芯に巻き付けられたシートにおいて皺が生じることが抑えられる。【００１３】  上記ロール体において、前記巻芯の前記周方向における前記各第１領域の位置が、前記軸方向に沿って連続的に変わってもよい。【００１４】  上記構成によれば、巻芯の周方向における第１領域の位置が軸方向に沿って連続的に変わる。言い換えれば、巻芯において、第１領域が巻き付けられる部位と、第２領域が巻き付けられる部位とが、軸方向において固定されない。そのため、第１領域と第２領域との間において、巻芯の軸方向において、巻芯の径方向に沿う厚さのばらつきが抑えられる。それゆえに、巻芯に巻き付けられたシートにおいて皺が生じることが抑えられる。【００１５】  上記ロール体において、前記要素パターン構造は、前記第１領域のみに位置してもよい。上記構成によれば、第２領域における要素パターン構造の密度が最小である構成において、巻芯に巻き付けられたシートに皺が生じることが抑えられる。【００１６】  上記ロール体において、前記要素パターン構造は、前記第１領域の全体にわたって所定の厚さを有した帯状を有してもよい。【００１７】  上記構成によれば、凸部を形成する要素パターン構造が配列方向において隙間を空けて並ぶ構成において、巻芯に巻き付けられたシートに皺が生じることが抑えられる。【００１８】  上記ロール体において、前記パターン構造を含み、前記支持層に支持される凹凸構造体であるパターン層を備え、前記第１領域は、前記パターン層のなかで前記要素パターン構造を含む厚い部分であり、前記第２領域は、前記パターン層のなかで前記要素パターン構造を含まない薄い部分であってもよい。【００１９】  上記構成によれば、第１領域と第２領域との両方が所定の厚さを有したパターン層の一部を含む構成において、巻芯に巻き付けられたシートに皺が生じることが抑えられる。【００２０】  上記ロール体において、前記パターン構造は、前記シートが拡がる平面と対向する平面視において、互いに異なる形状を有した２種類以上の前記要素パターン構造を含んでもよい。【００２１】  上記構成���よれば、全ての要素パターン構造が同じ形状を有する構成と比べて、パターン構造の形状を複雑にすることができる。【００２２】  上記ロール体において、前記複数の要素パターン構造は、前記シートが拡がる平面と対向する平面視において、互いに同じ形状を有してもよい。【００２３】  上記構成によれば、全ての要素パターン構造が同じ形状を有する構成であっても、巻芯に巻き付けられたシートに皺が生じることが抑えられる。【００２４】  上記ロール体において、前記パターン構造は、複数の要素パターン構造群を含み、前記各要素パターン構造群は、前記複数の要素パターン構造から構成され、前記各第１領域および前記各第２領域は、前記要素パターン構造群を含み、前記各第１領域に属する前記要素パターン構造の数と、前記各第２領域に属する前記要素パターン構造の数とが、互いに異なってもよい。【００２５】  上記構成によれば、第１領域だけでなく第２領域も要素パターン構造群を含むため、第１領域のみが要素パターン構造群を含む構成と比べて、シートが拡がる平面と対向する平面視でのパターン構造の形状がより複雑になる。【００２６】  上記課題を解決するためのロール体は、軸方向に沿って延びる筒状を有するように巻重ねられた多層体であるシートを備え、前記シートは、前記シートが広げられた状態において延在方向に沿って延びる帯状を有する。前記シートは、支持層と、前記シートの表面に形成され、前記延在方向に沿って周期的に並ぶ複数の要素パターン構造群とを含む。前記各要素パターン構造群は、前記支持層に支持されて前記シートの表面において凸部を形成する複数の要素パターン構造から構成される。前記シートが拡がる平面と対向する平面視において、１つの前記要素パターン構造群を構成する前記複数の要素パターン構造の集まりを前記各要素パターン構造の縁の一部に接する包絡輪郭線で取り囲むことによって区画される領域が要素パターン構造群領域である。前記延在方向と平行な線が基準線であり、前記延在方向と直交する方向が幅方向である。前記幅方向における前記要素パターン構造群領域の一方の端部から前記基準線までの長さが、前記延在方向に沿って周期的に変わる。【００２７】  上記構成によれば、要素パターン構造群領域のなかで、幅方向における少なくとも一方の端部から、延在方向に平行な基準線までの長さが、延在方向に沿って周期的に変わるため、幅方向における要素パターン構造群領域の端部のなかで、基準線との間の長さが周期的に変わる端部では、巻芯の軸方向において端部の位置が周期的に変わる。それゆえに、巻芯の軸方向におけるシートの端部の位置が変わらない構成と比べて、巻芯に巻き付けられたシートに皺が生じることが抑えられる。【００２８】  上記ロール体において、前記凸部は、前記シートが拡がる平面と対向する平面視において、直線状または円弧状を有する複数のプリズムが１つの方向に沿って連なるプリズム群を少なくとも１つ含み、前記各プリズムは、前記シートの前記幅方向に沿う断面において、頂点を挟む両側で傾斜角が互いに異なる非対称プリズムであってもよい。【００２９】  上記構成によれば、巻芯のなかで、第１領域が巻き付けられる部位と、第２領域が巻き付けられる部位とが、軸方向において固定されないため、第１領域に位置する要素パターン構造が複数のプリズムを含んでいても、シートを巻芯に巻き付けることによるプリズムの変形を抑えることができる。
【発明の効果】
【００３０】  本開示によれば、巻芯に巻き付けられた後のシートにおいて皺が生じることが抑えられる。
【図面の簡単な説明】
【００３１】
【図１】第１実施形態のロール体における構造を示す斜視図。
【図２】ロール体が備えるシートにおける構造の一部を示す部分平面図。
【図３】図２のＩＩ−ＩＩ線に沿う構造を示す断面図。
【図４】巻芯の軸方向に直交する構造を示す断面図。
【図５】巻芯の軸方向に直交する構造を示す断面図。
【図６】巻芯の軸方向に直交する構造を示す断面図。
【図７】図１のＩ−Ｉ線に沿う構造を示す断面図。
【図８】比較例のロール体における構造を示す斜視図。
【図９】比較例のロール体が備えるシートにおける構造の一部を示す部分平面図。
【図１０】図８のＩＩＩ−ＩＩＩ線に沿う構造を示す断面図。
【図１１】変形例におけるシートの構造を示す断面図。
【図１２】変形例におけるシートの構造の一部を示す部分平面図。
【図１３】変形例におけるシートの一部構造を拡大して示す部分拡大平面図。
【図１４】変形例における要素パターン構造の一部構造を拡大して示す部分拡大断面図。
【図１５】変形例におけるシートの一部構造を拡大して示す部分平面図。
【図１６】変形例における要素パターン構造の一部構造を拡大して示す部分拡大断面図。
【図１７】変形例におけるシートの一部構造を拡大して示す部分平面図。
【図１８】変形例における要素パターン構造の一部構造を拡大して示す部分拡大断面図。
【図１９】第２実施形態のロール体の第１例が備えるシートにおける構造の一部を示す部分平面図。
【図２０】ロール体の第２例が備えるシートにおける構造の一部を示す部分平面図。
【図２１】ロール体の第３例が備えるシートにおける構造の一部を示す部分平面図。
【図２２】ロール体の第４例が備えるシートにおける構造の一部を示す部分平面図。
【図２３】ロール体の第４例が備えるシートにおける構造の一部を示す部分平面図。
【図２４】ロール体の第５例が備えるシートにおける構造の一部を示す部分平面図。
【発明を実施するための形態】
【００３２】  ［第１実施形態］  図１から図１０を参照して、ロール体を具体化した第１実施形態を説明する。以下では、ロール体の構成、ロール体の作用、および、比較例のロール体を順番に説明する。
【００３３】  ［ロール体の構成］  図１から図６を参照してロール体の構成を説明する。なお、図１および図２では、第１領域と第２領域とを区別しやすくする目的で、第１領域にドットが付されている。
【００３４】  図１が示すように、ロール体１０は、巻芯１１とシート１２とを備えている。巻芯１１は、軸方向に沿って延びるとともに、外周面１１Ｓを有している。シート１２は、延在方向Ｄ１に沿って延びる帯状を有するとともに、巻芯１１の周方向ＤＣに沿って外周面１１Ｓに巻き付けられている。ロール体１０において、シート１２は巻芯１１によって支持されるため、シート１２の形状が変わりにくい。
【００３５】  言い換えれば、シート１２は、軸線方向に沿って延びる筒状を有するように巻き重ねられた多層体である。ロール体１０は巻芯１１とシート１２とから構成されているが、シート１２のみから構成されてもよい。この場合には、巻芯１１は、シート１２が巻き重ねた後に、シート１２から取り外される。このとき、シート１２によって区画される空間は、巻芯スペースである。
【００３６】  巻芯１１は円筒状を有し、回転軸Ａを中心に回転する。回転軸Ａの延びる方向が軸方向である。軸方向は、筒状を有するシート１２が延びる方向でもある。回転軸Ａを中心として、巻芯１１の外周面１１Ｓに沿って回転する方向が巻芯１１の周方向ＤＣである。周方向ＤＣは、シート１２の外周面に沿う方向でもある。巻芯１１の外周面１１Ｓには、シート１２が複数回巻き重ねられている。
【００３７】  図２が示すように、延在方向Ｄ１と直交する方向が幅方向Ｄ２である。シート１２が広げられた状態において、シート１２は、延在方向Ｄ１と幅方向Ｄ２とに沿って拡がる帯状を有し、シート１２における延在方向Ｄ１に沿う長さは幅方向Ｄ２に沿う長さよりも大幅に長い。
【００３８】  シート１２は、複数の第１領域１２Ａと複数の第２領域１２Ｂとから構成されるパターン区分領域１２Ｐを含んでいる。各第１領域１２Ａと各第２領域１２Ｂとは第１の方向に沿って延びる帯状領域であり、各帯状領域は、延在方向Ｄ１と幅方向Ｄ２との両方に交差する方向に沿って延びる形状を有している。言い換えれば、各帯状領域は、延在方向Ｄ１と幅方向Ｄ２との両方に対して直角以外の角度で交差する方向に沿って延びる直線状を有している。各帯状領域の延びる方向は、帯状領域の始点と終点とを結ぶ直線が延びる方向である。第１の方向は、延在方向Ｄ１と幅方向Ｄ２とに交差している。
【００３９】  複数の帯状領域において、第１領域１２Ａと第２領域１２Ｂとが、配列方向に沿って交互に隣り合って並んでいる。第１領域１２Ａと第２領域１２Ｂとは、配列方向において互いに接している。第１領域１２Ａと第２領域１２Ｂとが並ぶ配列方向は、シート１２が拡がる平面における１つの方向であればよい。
【００４０】  シート１２が拡がる平面と対向する平面視において、第１領域１２Ａが延びる方向と直交する方向に沿う長さが、第１領域１２Ａの幅である。シート１２が拡がる平面と対向する平面視において、第２領域１２Ｂが延びる方向と直交する方向に沿う長さが、第２領域１２Ｂの幅である。第１領域１２Ａの幅は、第２領域１２Ｂの幅よりも小さいが、第１領域１２Ａの幅は第２領域１２Ｂの幅よりも大きくてもよいし、第１領域１２Ａの幅と第２領域１２Ｂの幅とは互いに等しくてもよい。
【００４１】  図３が示すように、シート１２は、支持層２１と、パターン構造２２とから構成されている。パターン構造２２は支持層２１に支持され、パターン構造２２はシート１２の表面１２Ｓにおいて凸部を形成する複数の要素パターン構造２２ａから構成されている。シート１２では、第１領域１２Ａにおける要素パターン構造２２ａの密度が、第２領域１２Ｂにおける要素パターン構造２２ａの密度と異なっている。
【００４２】  シート１２において、要素パターン構造２２ａの表面と、支持層２１の表面のなかで要素パターン構造２２ａに覆われていない部分とが、凹凸面であるシート１２の表面１２Ｓを構成している。シート１２が拡がる平面と対向する平面視において、各第１領域１２Ａが有する面積に対する、その第１領域１２Ａに属する要素パターン構造２２ａの面積の割合が、各第１領域１２Ａにおける要素パターン構造２２ａの密度である。また、シート１２が拡がる平面と対向する平面視において、各第２領域１２Ｂが有する面積に対する、その第２領域１２Ｂに属する要素パターン構造２２ａの面積の割合が、各第２領域１２Ｂにおける要素パターン構造２２ａの密度である。
【００４３】  パターン構造２２は複数の要素パターン構造２２ａを含み、各第１領域１２Ａは、複数の要素パターン構造２２ａのうち、他の第１領域１２Ａを構成する要素パターン構造２２ａとは異なる要素パターン構造２２ａを含んでいる。支持層２１は複数の支持部２１ａを含み、各帯状領域は、複数の支持部２１ａのうち、他の帯状領域を構成する支持部２１ａとは異なる支持部２１ａを含んでいる。
【００４４】  第１領域１２Ａと第２領域１２Ｂとの各々が、延在方向Ｄ１と幅方向Ｄ２との両方に交差する方向に沿って延び、かつ、第１領域１２Ａと第２領域１２Ｂとが交互に並ぶため、巻芯１１のなかで、第１領域１２Ａが巻き付けられる部位と、第２領域１２Ｂが巻き付けられる部位とが、軸方向において固定されない、すなわち、変化する。それゆえに、第１領域１２Ａと第２領域１２Ｂとの間において、要素パターン構造２２ａの密度が互いに異なっても、巻芯１１の軸方向において、巻芯１１の径方向に沿う厚さのばらつきが抑えられる。結果として、巻芯１１に巻き付けられたシート１２に皺が生じることが抑えられる。
【００４５】  支持層２１およびパターン構造２２の各々は、１つの層から構成される単層構造を有してもよいし、複数の層から構成される多層構造を有してもよい。支持層２１およびパターン構造２２が多層構造を有するときには、多層構造を構成する複数の層には、互いに異なる材料から形成された層が含まれてもよい。言い換えれば、パターン構造２２を構成する各要素パターン構造２２ａは、１つの層から構成される単層構造を有してもよいし、複数の層から構成される多層構造を有してもよい。
【００４６】  要素パターン構造２２ａは、第１領域１２Ａのみに位置している。そのため、第２領域１２Ｂにおける要素パターン構造２２ａの密度が最小である構成において、シート１２における巻芯１１の径方向に沿う厚さのばらつきを抑えることができる。
【００４７】  第１領域１２Ａにおいて、要素パターン構造２２ａは、第１領域１２Ａの全体にわたって所定の厚さを有した帯状を有している。そのため、凸部を形成する要素パターン構造２２ａが配列方向において隙間を空けて並ぶ構成において、巻芯１１に巻き付けられたシート１２に皺が生じることが抑えられる。
【００４８】  より詳しくは、各要素パターン構造２２ａは、要素パターン構造２２ａが属する第１領域１２Ａと同じ方向、すなわち延在方向Ｄ１と幅方向Ｄ２との両方に交差する方向に沿って延びる直線状を有している。要素パターン構造２２ａは、第１領域１２Ａの全体にわたってほぼ同じ厚さを有している。
【００４９】  配列方向において隣り合う２つの要素パターン構造２２ａの間には、第２領域１２Ｂの全体にわたる窪み２２ｂが形成されている。各窪み２２ｂは、第２領域１２Ｂと同じ方向、すなわち延在方向Ｄ１と幅方向Ｄ２との両方に交差する方向に沿って延びる直線状を有している。このように、第１領域１２Ａと第２領域１２Ｂとの間では、第１領域１２Ａが要素パターン構造２２ａを有する一方で、第２領域１２Ｂが要素パターン構造２２ａを有しない。そのため、第１領域１２Ａと第２領域１２Ｂとの間において、要素パターン構造２２ａの密度が異なっている。
【００５０】  図４から図６の各々は、巻芯１１の軸方向と直交する面に沿うロール体１０の断面構造における一例を示している。図４から図６の各々は、軸方向における位置が互いに異なる部分におけるロール体１０の断面構造を示している。加えて、図４から図６の各々は、同一の第１領域１２Ａにおける互いに異なる部分を含む断面構造を示している。また、図４から図６では、図示の便宜上、シート１２を１つの円で示し、かつ、１つの第１領域１２Ａを巻芯１１に巻き付けられたシート１２の最表層に位置するように示している。
【００５１】  上述したロール体１０のシート１２は、以下の構成でもある。すなわち、シート１２は、複数の第１領域１２Ａと複数の第２領域１２Ｂとから構成されるパターン区分領域１２Ｐを含み、各第１領域１２Ａと各第２領域１２Ｂとは、第１の方向に沿って延びる形状を有する。パターン区分領域１２Ｐにおいて、第１領域１２Ａと第２領域１２Ｂとは、交互に隣り合って並んでいる。巻芯１１の周方向ＤＣにおける各第１領域１２Ａの位置は、軸方向に沿って連続的に変わっている。
【００５２】  図４は、軸方向の第１位置におけるロール体１０の断面構造を示している。  図４が示すように、ロール体１０のうち、軸方向の第１位置には、第１領域１２Ａの第１部分１２Ａ１が位置している。第１部分１２Ａ１は、シート１２のうち、巻芯１１の周方向ＤＣにおける所定の部位に位置している。第１部分１２Ａ１は、例えば、軸方向の第１位置において回転軸Ａの直上に位置している。
【００５３】  巻芯１１の周方向ＤＣにおいて、巻芯１１の外周面１１Ｓにおける一点であって、かつ、回転軸Ａの直上に位置する点を基準点Ｐに設定し、巻芯１１の中心である回転軸Ａから基準点Ｐに向けて延びる直線を基準線ＬＢに設定する。基準線ＬＢと、巻芯１１の外周面１１Ｓにおける所定の点と回転軸Ａとを結ぶ直線Ｌとが形成する角度が位相である。第１部分１２Ａ１における位相は、０°である。
【００５４】  図５は、軸方向の第２位置であって、第１位置とは異なる位置におけるロール体１０の断面構造を示している。
【００５５】  図５が示すように、ロール体１０のうち、軸方向の第２位置には、第１領域１２Ａの第２部分１２Ａ２が位置している。第２部分１２Ａ２は、シート１２のうち、巻芯１１の周方向ＤＣにおける所定の部位であって、第１部分１２Ａ１が位置する部位とは異なる部位に位置している。すなわち、第１部分１２Ａ１と、第２部分１２Ａ２とは、周方向ＤＣにおける位相が互いに異なっている。第２部分１２Ａ２の位相は、第１部分１２Ａ１の位相とは異なるα°である。
【００５６】  図６は、軸方向の第３位置であって、第１位置および第２位置とは異なる位置におけるロール体１０の断面構造を示している。軸方向において、第２位置は、第１位置と第３位置とに挟まれている。
【００５７】  図６が示すように、ロール体１０のうち、軸方向の第３位置には、第１領域１２Ａの第３部分１２Ａ３が位置している。第３部分１２Ａ３は、シート１２のうち、巻芯１１の周方向ＤＣにおける所定の部位であって、第１部分１２Ａ１が位置する部位、および、第２部分１２Ａ２が位置する部位とは異なる部位に位置している。
【００５８】  すなわち、第３部分１２Ａ３の位相は、第１部分１２Ａ１の位相および第２部分１２Ａ２の位相の両方と互いに異なっている。第３部分１２Ａ３の位相は、第１部分１２Ａ１の位相とは異なるβ°であり、かつ、第２部分１２Ａ２の位相であるα°とも異なる角度である。
【００５９】  このように、シート１２における各第１領域１２Ａは、巻芯１１の外周面１１Ｓに対して螺旋状に巻き付けられるため、第１領域１２Ａにおいて、巻芯１１の周方向ＤＣでの位相が軸方向に沿って連続的に変わる。言い換えれば、巻芯１１において、第１領域１２Ａが巻き付けられる部位と、第２領域１２Ｂが巻き付けられる部位とが、軸方向において固定されない。
【００６０】  そのため、第１領域１２Ａにおける要素パターン構造２２ａと、第２領域１２Ｂにおける要素パターン構造２２ａの密度とが互いに異なっても、ロール体１０では、巻芯１１の軸方向において、巻芯１１の径方向に沿う厚さのばらつきが抑えられる。それゆえに、巻芯１１に巻き付けられたシート１２に皺が生じることが抑えられる。
【００６１】  ［ロール体の作用］  図７を参照してロール体１０の作用を説明する。  図７は、巻芯１１の回転軸Ａに沿って延びる面に沿ったロール体１０の断面を示している。図７では、図示の便宜上、支持層２１の厚さ、および、パターン構造２２が含む要素パターン構造２２ａの厚さが誇張されている。
【００６２】  図７が示すように、巻芯１１に巻き付けられたシート１２では、巻芯１１の軸方向ＤＡのうち、第１領域１２Ａの位置する部位が、巻芯１１の径方向ＤＲにおける位置が変わることに伴って連続的に変わる。また、巻芯１１の軸方向ＤＡのうち、第２領域１２Ｂの位置する部位が、巻芯１１の径方向ＤＲにおける位置が変わることに伴って連続的に変わる。
【００６３】  そのため、ロール体１０では、軸方向ＤＡにおいて第１領域１２Ａが位置する部位と、軸方向ＤＡにおいて第２領域１２Ｂが位置する部位とが固定されない。それゆえに、第１領域１２Ａの厚さと第２領域１２Ｂの厚さが異なっても、第１領域１２Ａの厚さと第２領域１２Ｂの厚さとの差が、軸方向ＤＡにおいて固定されない。これにより、ロール体１０の軸方向ＤＡにおいて、径方向ＤＲに沿う厚さのばらつきが抑えられ、結果として、こうした厚さのばらつきに起因してシート１２に皺が生じることが抑えられる。
【００６４】  なお、巻芯１１にシート１２が巻き付けられるときには、図７が示すように、要素パターン構造２２ａが、支持層２１のなかで各要素パターン構造２２ａが位置する部分よりも巻芯１１の外周面１１Ｓ寄りに位置するようにシート１２が巻芯１１に巻き付けられてもよい。すなわち、要素パターン構造２２ａがシート１２の巻芯に向かう表面に位置するように、シート１２が巻芯１１に巻き付けられてもよい。またあるいは、支持層２１のなかで各要素パターン構造２２ａの位置する部分が、その要素パターン構造２２ａよりも巻芯１１の外周面１１Ｓ寄りに位置するようにシート１２が巻芯１１に巻き付けられてもよい。すなわち、要素パターン構造２２ａがシート１２の巻芯に向かう表面とは反対の表面に位置するように、シート１２が巻芯１１に巻き付けられてもよい。
【００６５】  ［比較例のロール体］  図８から図１０を参照して、比較例のロール体の構成を説明する。  図８が示すように、ロール体Ｒは、上述した第１実施形態のロール体１０と同様、軸方向に沿って延びる巻芯Ｒ１を備え、巻芯Ｒ１は外周面Ｒ１Ｓを有している。巻芯Ｒ１の外周面Ｒ１Ｓには、シートＲ２が巻芯Ｒ１の周方向ＤＣに沿って巻き付けられる。
【００６６】  図９が示すように、シートＲ２は、複数の第１領域Ｒ２Ａと複数の第２領域Ｒ２Ｂとを含んでいる。シートＲ２が拡がる平面と対向する平面視において、第１領域Ｒ２Ａおよび第２領域Ｒ２Ｂは、それぞれ延在方向Ｄ１に沿って延びる直線状を有し、かつ、第１領域Ｒ２Ａと第２領域Ｒ２Ｂとは、幅方向Ｄ２に沿って交互に並んでいる。
【００６７】  図１０が示すように、シートＲ２は、支持層Ｒ２１とパターン構造Ｒ２２とから構成されている。第１領域Ｒ２Ａは、支持層Ｒ２１の一部と要素パターン構造Ｒ２２ａとから構成される一方で、第２領域Ｒ２Ｂは、支持層Ｒ２１の一部のみから構成される。
【００６８】  そのため、ロール体Ｒにおいて、第１実施形態のロール体１０と同様、第１領域Ｒ２Ａにおける要素パターン構造Ｒ２２ａの密度が、第２領域Ｒ２Ｂにおける要素パターン構造Ｒ２２ａの密度よりも大きい。
【００６９】  上述したように、第１領域Ｒ２Ａおよび第２領域Ｒ２Ｂの各々は、延在方向Ｄ１に沿って延び、かつ、第１領域Ｒ２Ａと第２領域Ｒ２Ｂとが、幅方向Ｄ２に沿って交互に並んでいる。そのため、巻芯Ｒ１にシートＲ２が巻き付けられると、第１領域Ｒ２Ａが巻き付けられる部位と、第２領域Ｒ２Ｂが巻き付けられる部位とが、巻芯Ｒ１の軸方向ＤＡにおいて固定される。これにより、ロール体Ｒのうち、第１領域Ｒ２Ａが重なる部位では、巻芯Ｒ１の径方向ＤＲに沿う厚さが相対的に大きくなる一方で、第２領域Ｒ２Ｂが重なる部位では、径方向ＤＲに沿う厚さが相対的に小さくなる。
【００７０】  このように、比較例のロール体Ｒでは、ロール体Ｒの軸方向において、径方向ＤＲに沿う厚さにばらつきが生じることによって、巻芯Ｒ１に巻き付けられたシートＲ２に皺が生じてしまう。
【００７１】  以上説明したように、ロール体の第１実施形態によれば、以下に列挙する効果を得ることができる。  （１）巻芯１１のなかで、第１領域１２Ａが巻き付けられる部位と、第２領域１２Ｂが巻き付けられる部位とが、軸方向ＤＡにおいて固定されない。そのため、ロール体１０では、巻芯１１の軸方向ＤＡにおいて、巻芯１１の径方向ＤＲに沿う厚さのばらつきが抑えられる。それゆえに、巻芯１１に巻き付けられたシート１２に皺が生じることが抑えられる。
【００７２】  （２）第２領域１２Ｂにおける要素パターン構造２２ａの密度が最小である構成において、シート１２における巻芯１１の径方向ＤＲに沿う厚さのばらつきを抑えることができる。
【００７３】  （３）凸部を形成する要素パターン構造２２ａが配列方向において隙間を空けて並ぶ構成において、巻芯１１に巻き付けられたシート１２に皺が生じることが抑えられる。
【００７４】  なお、上述した第１実施形態は、以下のように適宜変更して実施することができる。  ・第１領域１２Ａおよび第２領域１２Ｂは直線状に限らず、少なくとも１つの屈曲部を有する折線状を有してもよいし、少なくとも１つの屈曲部を有する曲線状を有してもよい。こうした構成であっても、要素パターン構造２２ａが、第１領域１２Ａの全体にわたって位置し、かつ、所定の厚さを有していれば、上述した（３）と同等の効果を得ることはできる。また、要素パターン構造２２ａが第１領域１２Ａのみに位置していれば、上述した（２）と同等の効果を得ることはできる。さらには、第１領域１２Ａおよび第２領域１２Ｂの各々が、延在方向Ｄ１と幅方向Ｄ２との両方に交差する方向に沿って延び、かつ、配列方向に沿って交互に並んでいれば、上述した（１）と同等の効果を得ることはできる。
【００７５】  ・要素パターン構造２２ａは、延在方向Ｄ１に沿って所定の周期で繰り返されてもよい。すなわち、各要素パターン構造２２ａは、延在方向Ｄ１と幅方向Ｄ２との両方に交差する方向に沿って延びる直線状を有し、かつ、延在方向Ｄ１における長さが、シート１２の延在方向Ｄ１に沿う長さよりも短くてもよい。
【００７６】  ・図１１が示すように、シート１２がパターン層２３を備える構成であってもよい。パターン層２３は、支持層２１に支持される凹凸構造体であり、第１領域１２Ａは、パターン層２３のなかで要素パターン構造２２ａを含む厚い部分であり、第２領域１２Ｂは、パターン層２３のなかで要素パターン構造２２ａを含まない薄い部分であってもよい。すなわち、パターン層２３が、第１領域１２Ａに含まれる第１部分２３ａと、第２領域１２Ｂに含まれる第２部分２３ｂとを有し、第１部分２３ａのなかで、第２部分２３ｂよりも突き出た部分が要素パターン構造２２ａである構成でもよい。こうした構成では、第１部分２３ａのなかで、第２部分２３ｂよりも突き出た部分によってパターン構造２２が構成され、また、パターン層２３における凹凸面が、シート１２の表面１２Ｓの一例である。
【００７７】  上記構成によれば、以下に記載の効果を得ることができる。  （４）異なる厚さを有する第１領域１２Ａと第２領域１２Ｂとから構成されたパターン層２３の一部を含む構成において、巻芯１１に巻き付けられたシート１２に皺が生じることが抑えられる。
【００７８】  ・第１領域１２Ａおよび第２領域１２Ｂは、延在方向Ｄ１および幅方向Ｄ２の両方に交差する方向に沿って延びていなくてもよい。すなわち、延在方向Ｄ１に沿って延びてもよいし、幅方向Ｄ２に沿って延びてもよい。こうした構成では、第１領域１２Ａおよび第２領域１２Ｂ、すなわち帯状領域において、各帯状領域の延びる方向に沿う各帯状領域の縁の少なくとも一部が、延在方向Ｄ１および幅方向Ｄ２の両方に交差する方向に沿って延びていればよい。換言すれば、各帯状領域の縁が延在方向Ｄ１に沿って延びておらず、かつ、幅方向Ｄ２に沿って延びていない部分を含んでいればよい。
【００７９】  例えば、図１２が示すように、シート１２ａにおいて、第１領域１２Ａａは、延在方向Ｄ１に沿って延びる形状を有するとともに、第１領域１２Ａａの延びる方向に沿う縁１２Ａｅを含んでいる。各縁１２Ａｅは、延在方向Ｄ１に沿って並ぶ複数の屈曲部を有した波線状を有し、これにより、延在方向Ｄ１と幅方向Ｄ２との両方に交差する方向に沿って延びている。すなわち、各縁１２Ａｅは、延在方向Ｄ１に沿って延びておらず、かつ、幅方向Ｄ２に沿って延びていない部分を含んでいる。
【００８０】  第１領域１２Ａａの縁１２Ａｅは、第１領域１２Ａａに隣り合う第２領域１２Ｂａの縁１２Ｂｅでもある。すなわち、第２領域１２Ｂａの縁１２Ｂｅも、延在方向Ｄ１に沿って並ぶ複数の屈曲部を有した波線状を有し、これにより、延在方向Ｄ１と幅方向Ｄ２との両方に交差する方向に沿って延びている。すなわち、各縁１２Ｂｅは、延在方向Ｄ１に沿って延びておらず、かつ、幅方向Ｄ２に沿って延びていない部分を含んでいる。
【００８１】  言い換えれば、第１領域１２Ａａにおいて、巻芯１１の周方向における各第１領域１２Ａａが含む縁１２Ａｅの位置は、軸方向に沿って連続的に変わっている。
【００８２】  こうした構成によれば、以下に記載の効果を得ることができる。  （５）巻芯１１のなかで、第１領域１２Ａａの縁１２Ａｅが巻き付けられる部位と、第２領域１２Ｂａの縁１２Ｂｅが巻き付けられる部位とが、軸方向において固定されない。それゆえに、第１領域１２Ａａと第２領域１２Ｂａとの境界において、巻芯１１の径方向に沿う厚さの違いが緩和されやすくなり、要素パターン構造の密度が互いに異なっても、巻芯１１の軸方向において、巻芯１１の径方向に沿う厚さが急激に変わることが抑えられる。結果として、巻芯１１に巻き付けられたシート１２ａに皺が生じることが抑えられる。
【００８３】  ・図１２を用いて先に説明した構成では、第１領域１２Ａａの縁１２Ａｅおよび第２領域１２Ｂａの縁１２Ｂｅは、それぞれ延在方向Ｄ１に沿って並ぶ複数の屈曲部を有した折線状を有してもよいし、１つの屈曲部を有する折線状を有してもよいし、弧状を有してもよい。
【００８４】  ・各要素パターン構造は、複数のプリズム群を含む構成であってもよい。以下に参照する図１３には、シート１２ｂが拡がる平面と対向する方向から見たシート１２ｂの平面構造における一部が拡大して示されている。
【００８５】  図１３が示すように、シート１２ｂが拡がる平面と対向する平面視において、１つの第１領域１２Ａｂが、幅方向Ｄ２において２つの第２領域１２Ｂｂに挟まれている。第１領域１２Ａｂには、複数のセルＣが区画されている。言い換えれば、第１領域１２Ａｂに位置する要素パターン構造２２ｐには、複数のセルＣが区画されている。複数のセルＣには、シート１２ｂが拡がる平面と対向する平面視において、三角形状を有するセルＣ、および、四角形状を有するセルＣが含まれている。このように、複数のセルＣには、シート１２ｂが拡がる平面と対向する平面視における形状が互いに異なるセルＣが含まれてもよいし、全てのセルＣにおいて、シート１２ｂが拡がる平面と対向する平面視での形状が等しくてもよい。
【００８６】  各セルＣには、複数のプリズムＰｒから構成されるプリズム群が位置している。各プリズム群では、シート１２ｂが拡がる平面と対向する平面視において、円弧状を有する複数のプリズムＰｒが１つの方向に沿って連なっている。複数のプリズム群には、プリズムＰｒが連なる方向が互いに異なるプリズム群が含まれている。また、複数のプリズム群には、１つのプリズム群に属するプリズムＰｒの数が互いに異なるプリズム群、あるいは、複数のプリズムＰｒが連なる方向におけるプリズムＰｒのピッチが互いに異なるプリズム群が含まれている。なお、全てのプリズム群において、プリズムＰｒが連なる方向が互いに等しくてもよいし、全てのプリズム群において、各プリズム群に含まれるプリズムＰｒの数、あるいは、複数のプリズムＰｒが連なる方向におけるプリズムＰｒのピッチが等しくてもよい。
【００８７】  要素パターン構造２２ｐでは、延在方向Ｄ１に沿って複数のプリズム群が並び、かつ、幅方向Ｄ２に沿って複数のプリズム群が並んでいる。なお、要素パターン構造２２ｐでは、延在方向Ｄ１において１つのプリズム群のみが位置する一方で、幅方向Ｄ２に沿って複数のプリズム群が並ぶ構成でもよいし、幅方向Ｄ２において１つのプリズム群のみが位置する一方で、延在方向Ｄ１に沿って複数のプリズム群が並ぶ構成でもよい。また、要素パターン構造２２ｐは１つのプリズム群のみから構成されてもよい。
【００８８】  各プリズムＰｒは、シート１２ｂが拡がる平面と対向する平面視において円弧状を有しているが、直線状を有してもよい。なお、複数のプリズム群には、円弧状を有するプリズムＰｒから構成されるプリズム群と、直線状を有するプリズムＰｒから構成されるプリズム群との両方が含まれてもよいし、全てのプリズム群において、各プリズムＰｒが直線状を有してもよい。
【００８９】  図１４は、シート１２ｂの厚さ方向に沿う断面構造、かつ、複数のプリズムＰｒが延びる方向と直交する断面構造、言い換えれば幅方向Ｄ２における断面構造であって、要素パターン構造２２ｐに含まれる１つのプリズム群に対応する断面構造の一例を示している。なお、図１４では、複数のプリズムＰｒが連なる方向に沿って、プリズムＰｒのピッチが次第に小さくなる、すなわち、プリズムＰｒの断面において、頂点を挟む２つの傾斜角のうちの一方が次第に小さくなる例が記載されている。しかしながら、複数のプリズムＰｒが連なる方向において、プリズムＰｒのピッチは、先に参照した図１３に示されるように一定であってもよいし、頂点を挟む２つの傾斜角はいずれも、複数のプリズムが連なる方向において一定であってもよい。
【００９０】  図１４が示すように、各プリズムＰｒは、シート１２ｂの厚さ方向に沿う断面において、頂点を挟む両側で傾斜角が互いに異なる非対称プリズムである。より詳しくは、各プリズムＰｒは頂点Ｐｒａを有し、シート１２ｂの厚さ方向に沿う断面において、頂点Ｐｒａを挟む両側のなかで、一方における傾斜角が第１傾斜角θ１であり、他方における傾斜角が第２傾斜角θ２である。第１傾斜角θ１および第２傾斜角θ２の各々は、支持層２１において要素パターン構造２２ｐが位置する面と、プリズムＰｒが有する傾斜面とが形成する角度である。第１傾斜角θ１と第２傾斜角θ２とは互いに異なる大きさであり、第１傾斜角θ１が鋭角である一方で、第２傾斜角θ２が直角である。なお、第１傾斜角θ１と第２傾斜角θ２との両方が鋭角であってもよい。
【００９１】  複数のプリズムＰｒが連なる方向に沿って、プリズムＰｒにおける第１傾斜角θ１は次第に小さくなる。すなわち、複数のプリズムＰｒが連なる方向において、プリズムＰｒのピッチは次第に大きくなる。これに対して、複数のプリズムＰｒが連なる方向において、第２傾斜角θ２は一定である。なお、複数のプリズムＰｒが連なる方向に沿って、第１傾斜角θ１および第２傾斜角θ２の両方が、連続的に変化してもよい。
【００９２】  要素パターン構造２２ｐは、シート１２ｂの厚さ方向において、各プリズムＰｒと支持層２１との間に位置する支持部２２ｐ１有している。各プリズムＰｒは、支持部２２ｐ１に対して支持層２１が位置する側とは反対側に向けて支持部２２ｐ１から突き出ている。複数のプリズムＰｒは、支持部２２ｐ１を介して互いに繋がっている。なお、要素パターン構造２２ｐは支持部２２ｐ１を有してなくてもよい。
【００９３】  要素パターン構造２２ｐの形成材料には、光透過性を有した材料が用いられてもよいし、要素パターン構造２２ｐに入射した光のほとんどを反射する特性を有した材料が用いられてもよい。要素パターン構造２２ｐの形成材料が光透過性を有した材料であるときには、要素パターン構造２２ｐの形成材料には、例えば、光透過性を有した各種の樹脂や誘電体を用いることができる。要素パターン構造２２ｐの形成材料が、要素パターン構造２２ｐに入射した光のほとんどを反射する特性を有した材料であるときには、要素パターン構造２２ｐの形成材料には、例えば、金属を用いることができる。要素パターン構造２２ｐは、光透過性を有する材料によって形成された層と、光を反射する材料によって形成された層との両方を含んでもよい。
【００９４】  要素パターン構造２２ｐは、複数のプリズムＰｒが連なる方向が互いに異なるセルＣを含み、また、１つのプリズム群に含まれるプリズムＰｒの数が互いに異なるセルＣを含んでいる。そのため、複数のプリズムＰｒが並ぶ方向が互いに異なるセルＣ間、および、１つのプリズム群に含まれるプリズムＰｒの数が互いに異なるセルＣ間において、各セルＣにおける光を透過する特性や、光を反射する特性を互いに異ならせることができる。
【００９５】  こうした構成によれば、以下に記載の効果を得ることができる。  （６）巻芯１１のなかで、第１領域１２Ａｂが巻き付けられる部位と、第２領域１２Ｂｂが巻き付けられる部位とが、軸方向において固定されない。そのため、第１領域１２Ａｂに位置する要素パターン構造２２ｐが複数のプリズムＰｒを含んでいても、シート１２ｂを巻芯１１に巻き付けることによって生じるプリズムＰｒの変形が抑えられる。
【００９６】  ・図１３および図１４を参照して先に説明した構成は、さらに以下のように変更することができる。すなわち、第１領域において、複数のプリズムＰｒを含む部分がプリズム部であり、第１領域は、幅方向Ｄ２においてプリズム部を挟む緩衝部を含んでもよい。緩衝部の高さは、プリズム部の高さよりも低く、かつ、緩衝部は、支持層２１に接する面とは反対側の面に凹凸面を含んでいる。また、第１領域は、幅方向Ｄ２において、プリズム部と緩衝部との間に遷移部をさらに含んでもよい。遷移部の高さは、例えば、プリズム部の高さと緩衝部の高さとの間の大きさである。なお、プリズム部、緩衝部、および、遷移部の高さは、各部における高さの最大値である。図１５および図１６を参照して、こうしたシートをより詳しく説明する。
【００９７】  図１５には、シート１２ｃが拡がる平面と対向する方向から見たシート１２ｃの平面構造における一部が拡大して示されている。また、図１６には、シート１２ｃの厚さ方向に沿う断面構造、かつ、複数のプリズムＰｒが延びる方向と直交する断面構造が示されている。
【００９８】  図１５が示すように、シート１２ｃが拡がる平面と対向する平面視において、１つの第１領域１２Ａｃが、幅方向Ｄ２において２つの第２領域１２Ｂｃに挟まれている。第１領域１２Ａｂは、延在方向Ｄ１と幅方向Ｄ２とに交差する方向に沿って延びるプリズム部Ａｃ１と、２つの緩衝部Ａｃ２と、２つの遷移部Ａｃ３とを備えている。２つの緩衝部Ａｃ２は、幅方向Ｄ２においてプリズム部Ａｃ１を挟んでいる。各遷移部Ａｃ３は、幅方向Ｄ２において、プリズム部Ａｃ１と各緩衝部Ａｃ２との間にそれぞれ位置している。各緩衝部Ａｃ２および各遷移部Ａｃ３は、プリズム部Ａｃ１が延びる方向に沿って延びている。
【００９９】  シート１２ｃが拡がる平面と対向する平面視において、各緩衝部Ａｃ２の面積を合計した面積は、プリズム部Ａｃ１の面積よりも大きいことが好ましく、各緩衝部Ａｃ２の面積が、プリズム部Ａｃ１の面積よりも大きいことがより好ましい。言い換えれば、幅方向Ｄ２において、各緩衝部Ａｃ２の幅を合計した長さは、プリズム部Ａｃ１の幅よりも長いことが好ましく、各緩衝部Ａｃ２の幅が、プリズム部Ａｃ１の幅よりも長いことがより好ましい。
【０１００】  図１６が示すように、第１領域１２Ａｃにおいて、プリズム部Ａｃ１の高さが最も高く、緩衝部Ａｃ２の高さが最も低い。緩衝部Ａｃ２は、上述したように、支持層２１に接する面とは反対側の面に凹凸面を含んでいる。こうした凹凸面には、光を回折する機能、光の反射を防止する機能、光を散乱する機能、および、光を干渉させる機能のいずれかを有する凹凸面を採用することができる。また、凹凸面は、互いに異なる機能を有した複数の部分を含むこともできる。
【０１０１】  遷移部Ａｃ３は、緩衝部Ａｃ２と同様、支持層２１と接する面とは反対側の面に凹凸面を含むことができる。遷移部Ａｃ３の凹凸面には、緩衝部Ａｃ２と同様の構成を採用することができる。あるいは、遷移部Ａｃ３において、支持層２１と接する面とは反対側の面が傾斜面であってもよい。傾斜面は、遷移部Ａｃ３の高さが、プリズム部Ａｃ１から緩衝部Ａｃ２に向う方向に沿って次第に小さくなるような傾斜を有している。
【０１０２】  プリズム部Ａｃ１、緩衝部Ａｃ２、および、遷移部Ａｃ３は、１つの層として一体に形成することができる。これにより、プリズム部Ａｃ１、緩衝部Ａｃ２、および、遷移部Ａｃ３の位置が、他の部分の位置に対してずれることが抑えられる。こうした第１領域１２Ａｃを形成するときには、１つの原版を用いてもよいし、各別に形成された原版であって、プリズム部用原版、緩衝部用原版、および、遷移部用原版を繋ぐことによって１つの原版として用いてもよい。
【０１０３】  シート１２ｃが巻芯に巻き取られたときに、第１領域１２Ａｃが緩衝部Ａｃ２を備えることによって、緩衝部Ａｃ２には、プリズム部Ａｃ１に掛かる圧力と、第２領域１２Ｂｃに掛かる圧力との間の大きさを有した圧力が掛かる。そのため、プリズム部Ａｃ１に掛かる圧力と第２領域１２Ｂｃに掛かる圧力との間において、圧力が急激に変わることが抑えられる。結果として、シート１２ｃが巻かれたときにプリズム部Ａｃ１が変形することがより抑えられる。
【０１０４】  また、第１領域１２Ａｃが遷移部Ａｃ３を備えることによって、プリズム部Ａｃ１と緩衝部Ａｃ２との間の段差が遷移部Ａｃ３によって緩和される。そのため、プリズム部Ａｃ１の変形がより抑えられる。
【０１０５】  なお、第１領域１２Ａｂは、延在方向Ｄ１と幅方向Ｄ２とに交差する方向に沿って延びるプリズム部Ａｃ１と、幅方向Ｄ２におけるプリズム部Ａｃ１の片側にのみ１つの緩衝部Ａｃ２と、プリズム部Ａｃ１と緩衝部Ａｃ２との間に１つの遷移部Ａｃ３とを備えた構成とすることもできる。また、第１領域１２Ａｂは、延在方向Ｄ１と幅方向Ｄ２とに交差する方向に沿って延びるプリズム部Ａｃ１と、プリズム部Ａｃ１に隣接した１つの緩衝部Ａｃ２とのみを備えた構成とすることもできる。
【０１０６】  さらに、第１領域１２Ａｂは、延在方向Ｄ１と幅方向Ｄ２とに交差する方向に沿って延びるプリズム部Ａｃ１と、幅方向Ｄ２においてプリズム部Ａｃ１を挟む２つの緩衝部Ａｃ２とのみを備えた構成とすることもできる。また、第１領域１２Ａｂは、延在方向Ｄ１と幅方向Ｄ２とに交差する方向に沿って延びるプリズム部Ａｃ１と、プリズム部Ａｃ１を挟む２つの緩衝部Ａｃ２と、２つの緩衝部Ａｃ２のうちのいずれかとプリズム部Ａｃ１との間に１つの遷移部Ａｃ３とを備える一方で、他方の緩衝部Ａｃ２とプリズム部Ａｃ１とが隣接する構成とすることもできる。
【０１０７】  ・図１３および図１４を参照して先に説明した構成は、さらに以下のように変更することができる。すなわち、図１３および図１４を参照して先に説明した構成は、図１１を用いて先に説明した構成と組み合わせて実施することができる。  図１７が示すように、シート１２ｄが拡がる平面と対向する平面視において、１つの第１領域１２Ａｄが、幅方向Ｄ２において２つの第２領域１２Ｂｄに挟まれている。第１領域１２Ａｄには、上述した第１領域１２Ａｂと同様、複数のセルＣが区画されている。
【０１０８】  第２領域１２Ｂｄは、延在方向Ｄ１に沿って延びる突条Ｂｄ１を備えている。第２領域１２Ｂｄは、複数の突条Ｂｄ１を備え、かつ、複数の突条Ｂｄ１は、幅方向Ｄ２に沿って離間して並んでいる。なお、第２領域１２Ｂｄは、１つの突条Ｂｄ１のみを備えてもよい。
【０１０９】  図１８が示すように、シート１２ｄは、支持層２１とパターン層２３ｄとから構成されている。第１領域１２Ａｄおよび第２領域１２Ｂｄの各々は、パターン層２３ｄにおける互いに異なる一部を含んでいる。第１領域１２Ａｄに含まれる複数のプリズムＰｒが要素パターン構造２２ｐであり、第１領域１２Ａｄは、パターン層２３ｄのなかで厚い部分である。第２領域１２Ｂｄは、パターン層２３ｄのなかで要素パターン構造２２ｐを含まない薄い部分である。
【０１１０】  こうした構成によれば、支持層２１上にパターン層２３ｄを形成するときに、以下の効果を得ることができる。すなわち、シート１２ｄを製造するときには、支持層２１にパターン層２３ｄを形成するための塗膜を形成した後に、塗膜に対してプリズムＰｒを形成するための原版を押し当てる。このとき、プリズムＰｒと同時に突条Ｂｄ１を形成するため、原版は、突条Ｂｄ１に対応するパターンを有している。これにより、パターン層２３ｄを形成するための塗膜のなかで、第２領域１２Ｂｄに対応する部分にも原版のパターンが押し当てられるため、塗膜のなかで、第２領域１２Ｂｄに対応する部分が、支持層２１から浮き上がることが抑えられる。
【０１１１】  また、第２領域１２Ｂｄが突条Ｂｄ１を備えるため、第２領域１２Ｂｄが突条を有しない場合と比べて、シート１２ｄが巻芯１１に巻き付けられたときに、第２領域１２Ｂｄの一部が、第２領域１２Ｂｄの他の一部と接しても、これらの間においてブロッキングが生じることが抑えられる。
【０１１２】  ・図１７および図１８を用いて先に説明した構成は、図１５および図１６を用いて先に説明した構成と組み合わせて実施することができる。すなわち、パターン層２３ｄのなかで第１領域１２Ａｄに対応する部分は、緩衝部Ａｃ２および遷移部Ａｃ３少なくとも一方を備えてもよい。
【０１１３】  ・第１実施形態では、第１領域での要素パターン構造の密度と、第２領域での要素パターン構造の密度とが互いに異なる構成を説明した。これに限らず、例えば、第１領域での要素パターン構造の密度と、第２領域での要素パターン構造の密度とが互いに等しくともよく、この場合には、第１領域での要素パターン構造の配置と、第２領域での要素パターン構造の配置とが互いに異なっていればよい。またあるいは、第１領域での要素パターン構造の密度と、第２領域での要素パターン構造の密度とが互いに異なり、かつ、第１領域での要素パターン構造の配置と、第２領域での要素パターン構造の密度とが違いに異なってもよい。
【０１１４】  ［第２実施形態］  図１９から図２４を参照して、ロール体を具体化した第２実施形態を説明する。第２実施形態のロール体は、第１実施形態のロール体と比べて、第１領域が複数の要素パターン構造を含む点で異なっている。そのため、以下では、こうした相違点を詳しく説明する一方で、第１実施形態のロール体と共通する構成の詳しい説明を省略する。また、以下では、ロール体における第１例から第５例の構成を順番に説明する。
【０１１５】  なお、図１９から図２４の各々では、シートが拡がる平面と対向する平面視において、要素パターン構造が位置する部分と要素パターン構造が位置しない部分とを区別しやすくする目的で、要素パターン構造にドットが付されている。
【０１１６】  ［第１例］  図１９を参照して第２実施形態のロール体における第１例を説明する。  図１９が示すように、シート３０において、第１領域３０Ａおよび第２領域３０Ｂの各々は、延在方向Ｄ１および幅方向Ｄ２の両方と交差する方向に沿って延びる直線状を有している。
【０１１７】  シート３０は、支持層３１とパターン構造３２とから構成されている。パターン構造３２は、複数の要素パターン構造３２ａから構成され、かつ、１つの第１領域３０Ａには、複数の要素パターン構造３２ａが属している。
【０１１８】  パターン構造３２は、シート３０が拡がる平面と対向する平面視において、互いに異なる形状を有した２種類以上の要素パターン構造３２ａを含んでいる。そのため、全ての要素パターン構造３２ａが同じ形状を有する構成と比べて、パターン構造３２の形状を複雑にすることができる。
【０１１９】  パターン構造３２において、各要素パターン構造３２ａは、所定の厚さを有する部分である。パターン構造３２は、第１領域３０Ａに位置する一方で、第２領域３０Ｂには位置していない。第１領域３０Ａにおいて、複数の要素パターン構造３２ａは、第１領域３０Ａが延びる方向に沿って離間して並んでいる。
【０１２０】  各要素パターン構造３２ａは、シート３０が拡がる平面と対向する平面視において、アルファベットのうちの１つを表現する形状を有している。各要素パターン構造３２ａは、アルファベットの「Ｇ」、「Ｅ」、「Ｎ」、「Ｕ」、および、「Ｉ」のいずれかを表現する形状を有している。
【０１２１】  言い換えれば、ロール体の第１例において、シート３０は、支持層３１と、シート３０の表面に形成され、延在方向Ｄ１に沿って周期的に並ぶ複数の要素パターン構造群３２ｂとを含んでいる。各要素パターン構造群３２ｂは、支持層３１に支持されてシート３０の表面において凸部を形成する複数の要素パターン構造３２ａから構成されている。ロール体の第１例では、「Ｇ」、「Ｅ」、「Ｎ」、「Ｕ」、「Ｉ」、「Ｎ」、および、「Ｅ」のそれぞれを表現する形状を有した要素パターン構造３２ａによって、１つの要素パターン構造群３２ｂが構成されている。１つの要素パターン構造群３２ｂを構成する複数の要素パターン構造３２ａは、延在方向Ｄ１と幅方向Ｄ２との両方と交差する方向に沿って並んでいる。シート３０のなかで、延在方向Ｄ１に沿って延び、かつ、幅方向Ｄ２においてシート３０の一部を占める帯状の領域において、複数の要素パターン構造群３２ｂが所定の周期で繰り返されている。
【０１２２】  シート３０が拡がる平面と対向する平面視において、要素パターン構造群領域ＧＲは、１つの要素パターン構造群３２ｂを構成する複数の要素パターン構造３２ａの集まりを、各要素パターン構造３２ａの縁の一部に接する包絡輪郭線ＯＬで取り囲むことによって区画される。包絡輪郭線ＯＬは、１つの要素パターン構造群３２ｂに属する全ての要素パターン構造３２ａに接している。包絡輪郭線ＯＬは、要素パターン構造３２ａが並ぶ方向に沿って延びる直線を含んで設定されることが好ましい。
【０１２３】  ロール体の第１例において、延在方向Ｄ１と平行な線が基準線ＬＤである。基準線ＬＤは、シート３０に重なる位置に設定されているが、シート３０から離れた位置に設定されてもよい。幅方向Ｄ２における要素パターン構造群領域ＧＲの少なくとも一方の端部から基準線ＬＤまでの長さが、延在方向Ｄ１に沿って周期的に変わっている。ロール体の第１例では、幅方向Ｄ２における要素パターン構造群領域ＧＲの各端部から基準線ＬＤまでの長さは、１つの要素パターン構造群領域ＧＲのなかで変わり、こうした要素パターン構造群領域ＧＲが延在方向Ｄ１に沿って周期的に繰り返されることによって、各端部から基準線ＬＤまでの距離が延在方向Ｄ１に沿って周期的に変わっている。
【０１２４】  ［第２例］  図２０を参照して第２実施形態のロール体における第２例を説明する。  図２０が示すように、シート４０において、第１領域４０Ａおよび第２領域４０Ｂは、延在方向Ｄ１および幅方向Ｄ２の両方に交差する方向に沿って延びる直線状を有している。
【０１２５】  シート４０は、支持層４１とパターン構造４２とから構成され、パターン構造４２は、複数の要素パターン構造群４２ｂを含んでいる。各要素パターン構造群４２ｂは、複数の要素パターン構造４２ａから構成されている。各第１領域４０Ａおよび各第２領域４０Ｂは、要素パターン構造群４２ｂを含んでいる。
【０１２６】  パターン構造４２において、１つの要素パターン構造群４２ｂに属する複数の要素パターン構造４２ａは、幅方向Ｄ２に沿って離間して並んでいる。各要素パターン構造群４２ｂに属する複数の要素パターン構造４２ａは、第１例における複数の要素パターン構造３２ａと同様の構成である。
【０１２７】  １つの第１領域４０Ａに属する複数の要素パターン構造群４２ｂは、延在方向Ｄ１および幅方向Ｄ２の両方と交差する方向に沿って離間して並んでいる。なお、１つの第２領域４０Ｂに複数の要素パターン構造群４２ｂが属するときには、１つの第１領域４０Ａに属する複数の要素パターン構造群４２ｂと同様、複数の要素パターン構造群４２ｂは、延在方向Ｄ１および幅方向Ｄ２の両方と交差する方向に沿って離間して並ぶことが好ましい。
【０１２８】  １つの第１領域４０Ａに属する要素パターン構造群４２ｂの数は、１つの第２領域４０Ｂに属する要素パターン構造群４２ｂの数よりも大きい。より詳しくは、１つの第１領域４０Ａには３つの要素パターン構造群４２ｂが属し、１つの第２領域４０Ｂには１つの要素パターン構造群４２ｂが属している。
【０１２９】  なお、１つの第１領域４０Ａに属する要素パターン構造群４２ｂの数が１つの第２領域４０Ｂに属する要素パターン構造群４２ｂの数と異なっていれば、１つの第１領域４０Ａに属する要素パターン構造群４２ｂの数は３以外であってもよいし、１つの第２領域４０Ｂに属する要素パターン構造群４２ｂの数は１以外であってもよい。あるいは、１つの第１領域４０Ａに属する要素パターン構造群４２ｂの数は、１つの第２領域４０Ｂに属する要素パターン構造群４２ｂの数よりも小さくてもよい。
【０１３０】  第２例によれば、第１領域４０Ａだけでなく第２領域４０Ｂも要素パターン構造群４２ｂを含むため、第１領域４０Ａのみが要素パターン構造群４２ｂを含む構成と比べて、シート４０が拡がる平面と対向する平面視において、パターン構造４２が有する形状がより複雑になる。
【０１３１】  言い換えれば、ロール体の第２例において、シート４０は、支持層４１と、シート４０の表面に形成され、延在方向Ｄ１に沿って周期的に並ぶ複数の要素パターン構造群４２ｂとを含んでいる。各要素パターン構造群４２ｂは、支持層４１に支持されてシート４０の表面において凸部を形成する複数の要素パターン構造４２ａから構成されている。
【０１３２】  １つの要素パターン構造群４２ｂを構成する複数の要素パターン構造４２ａは、幅方向Ｄ２に沿って並んでいる。各要素パターン構造群４２ｂは、シート４０の幅方向Ｄ２におけるほぼ全体にわたる長さを有し、かつ、複数の要素パターン構造群４２ｂが延在方向Ｄ１に沿って所定の周期で繰り返されている。複数の要素パターン構造群４２ｂでは、幅方向Ｄ２において、要素パターン構造群４２ｂの中央とシート４０の中央とがほぼ一致するように位置する要素パターン構造群４２ｂが１つおきに位置している。こうした要素パターン構造群４２ｂの間に、幅方向Ｄ２において、一方の端部寄りに位置する要素パターン構造群４２ｂと、他方の端部寄りに位置する要素パターン構造群４２ｂとが、１つずつ交互に位置している。
【０１３３】  包絡輪郭線ＯＬは、１つの要素パターン構造群４２ｂに属する全ての要素パターン構造４２ａに接している。包絡輪郭線ＯＬは、要素パターン構造４２ａが並ぶ方向に沿って延びる直線を含んで設定されることが好ましい。ロール体の第２例では、幅方向Ｄ２における要素パターン構造群領域ＧＲの各端部から基準線ＬＤまでの長さが、要素パターン構造群領域ＧＲ間にて延在方向Ｄ１に沿って周期的に変わっている。
【０１３４】  ［第３例］  図２１を参照して第２実施形態のロール体における第３例を説明する。  図２１が示すように、シート５０において、第１領域５０Ａおよび第２領域５０Ｂは、延在方向Ｄ１および幅方向Ｄ２の両方に交差する方向に沿って延び、かつ、第１領域５０Ａおよび第２領域５０Ｂの延びる方向に沿う各領域の縁は、複数の屈曲部を有する折線状を有している。第１領域５０Ａおよび第２領域５０Ｂは、それぞれ各領域の延びる方向に沿って複数の括れ部を有する帯状を有している。第１領域５０Ａの幅と第２領域５０Ｂの幅とは、互いにほぼ等しい。
【０１３５】  シート５０は、支持層５１とパターン構造５２とから構成され、１つの第１領域５０Ａには、複数の要素パターン構造５２ａが属している。第１領域５０Ａにおいて、複数の要素パターン構造５２ａは、第１領域５０Ａの延びる方向に沿って離間して並んでいる。シート５０が拡がる平面と対向する平面視において、各要素パターン構造５２ａは六角形状を有し、各要素パターン構造５２ａを区画する６つの辺のうち、互いに平行な２つの辺が幅方向Ｄ２に沿って延びている。
【０１３６】  これに対して、１つの第２領域５０Ｂには、１つの要素パターン構造５２ａが属している。第２領域５０Ｂにおいて、要素パターン構造５２ａは、幅方向Ｄ２における中央に位置し、第２領域５０Ｂの要素パターン構造５２ａにおける幅方向Ｄ２の位置は、各第１領域５０Ａに属する１つの要素パターン構造５２ａにおける幅方向Ｄ２の位置と等しい。そのため、パターン構造５２において、第２領域５０Ｂに属する要素パターン構造５２ａを含む複数の要素パターン構造５２ａが、延在方向Ｄ１に沿って連なっている。全ての要素パターン構造５２ａは、互いに同じ形状を有している。
【０１３７】  第３例によれば、全ての要素パターン構造が同じ形状を有する構成であっても、巻芯１１の軸方向における所定の位置に要素パターン構造が連続して巻き付けられることが抑えられ、シート５０において、巻芯１１の径方向に沿う厚さのばらつきが抑えられる。
【０１３８】  言い換えれば、ロール体の第３例において、シート５０は、支持層５１と、シート５０の表面に形成され、延在方向Ｄ１に沿って周期的に並ぶ複数の要素パターン構造群５２ｂとを含んでいる。各要素パターン構造群５２ｂは、支持層５１に支持されてシート５０の表面において凸部を形成する複数の要素パターン構造５２ａから構成されている。
【０１３９】  ロール体の第３例では、六角形状を有した複数の要素パターン構造５２ａによって、１つの要素パターン構造群５２ｂが構成されている。１つの要素パターン構造群５２ｂを構成する複数の要素パターン構造５２ａは、延在方向Ｄ１と交差する方向に沿って並んでいる。延在方向Ｄ１において、複数の要素パターン構造群５２ｂは離間して並び、延在方向Ｄ１における２つの要素パターン構造群５２ｂの間に、１つの要素パターン構造５２ａが位置している。
【０１４０】  包絡輪郭線ＯＬは、各要素パターン構造５２ａが有する辺の一部に沿うように設定されている。ロール体の第４例では、要素パターン構造群領域ＧＲにおける幅方向Ｄ２の端部を区画する辺が、延在方向Ｄ１および幅方向Ｄ２の両方に対して傾いている。そのため、幅方向Ｄ２における要素パターン構造群領域ＧＲの各端部から基準線ＬＤまでの長さは、１つの要素パターン構造群５２ｂのなかで変わり、こうした要素パターン構造群領域ＧＲが延在方向Ｄ１に沿って繰り返されることによって、端部から基準線ＬＤまでの距離が延在方向Ｄ１に沿って周期的に変わっている。
【０１４１】  ［第４例］  図２２および図２３を参照して第２実施形態のロール体における第４例を説明する。  図２２が示すように、シート６０において、第１領域６０Ａおよび第２領域６０Ｂは、延在方向Ｄ１および幅方向Ｄ２の両方に交差する方向に沿って並んでいる。第１領域６０Ａの延びる方向に沿う第１領域６０Ａの縁は、複数の屈曲部を有する折線状を有し、第１領域６０Ａは、第１領域６０Ａが延びる方向に沿って複数の括れ部を有する帯状を有している。第２領域６０Ｂは、複数の屈曲部を有する折線状を有している。第１領域６０Ａの幅は、第２領域６０Ｂの幅よりも大きい。
【０１４２】  シート６０は、支持層６１とパターン構造６２とから構成され、１つの第１領域６０Ａには、複数の要素パターン構造６２ａが属している。複数の要素パターン構造６２ａは、シート６０が拡がる平面と対向する平面視において、互いに同じ形状を有している。
【０１４３】  各要素パターン構造６２ａは六角形状を有し、各要素パターン構造６２ａを区画する６つの辺のうち、互いに平行な２つの辺が延在方向Ｄ１に沿って延びている。１つの第１領域６０Ａに属する複数の要素パターン構造６２ａは、第１領域６０Ａが延びる方向に沿って間隔を空けて並んでいる。
【０１４４】  これに対して、第２領域６０Ｂには、１つの要素パターン構造６２ａも属していない。すなわち、第２領域６０Ｂは、支持層６１の一部のみから構成されている。  こうした第４例によっても、第３例と同等の効果を得ることができる。
【０１４５】  言い換えれば、図２３が示すように、ロール体の第４例において、シート６０は、支持層６１と、シート６０の表面に形成され、延在方向Ｄ１に沿って周期的に並ぶ複数の要素パターン構造群６２ｂとを含んでいる。各要素パターン構造群６２ｂは、支持層６１に支持されてシート６０の表面において凸部を形成する複数の要素パターン構造６２ａから構成されている。
【０１４６】  ロール体の第４例では、六角形状を有した要素パターン構造６２ａによって、１つの要素パターン構造群６２ｂが構成されている。１つの要素パターン構造群６２ｂを構成する複数の要素パターン構造６２ａは、幅方向Ｄ２に沿って並んでいる。複数の要素パターン構造群６２ｂが延在方向Ｄ１に沿って所定の周期で繰り返されている。複数の要素パターン構造群６２ｂでは、１つの要素パターン構造群６２ｂに属する要素パターン構造６２ａの数が互いに異なり、これにより、幅方向Ｄ２における端部の位置が互いに異なる２種の要素パターン構造群６２ｂが、延在方向Ｄ１に沿って交互に並んでいる。２種の要素パターン構造群６２ｂのうち、一方の要素パターン構造群６２ｂは３つの要素パターン構造６２ａを含み、他方の要素パターン構造群６２ｂは２つの要素パターン構造６２ａを含んでいる。
【０１４７】  包絡輪郭線ＯＬは、各要素パターン構造６２ａが有する辺の一部に沿うように設定されている。ロール体の第４例では、幅方向Ｄ２における要素パターン構造群領域ＧＲの各端部から基準線ＬＤまでの長さが、要素パターン構造群領域ＧＲ間にて延在方向Ｄ１に沿って周期的に変わっている。
【０１４８】  ［第５例］  図２４を参照して第２実施形態のロール体における第５例を説明する。  図２４が示すように、シート７０において、第１領域７０Ａおよび第２領域７０Ｂは、延在方向Ｄ１および幅方向Ｄ２の両方に交差する方向に沿って延びている。第１領域７０Ａは、シート７０が拡がる平面と対向する平面視において、延在方向Ｄ１および幅方向Ｄ２の両方に交差する方向に沿って、複数の菱形が連なった帯状を有している。
【０１４９】  シート７０が拡がる平面と対向する平面視において、第２領域７０Ｂは帯状を有し、第２領域７０Ｂにおいて、第２領域７０Ｂの延びる方向に沿う縁が複数の屈曲部を有した折線状を有している。第２領域７０Ｂは、六角形状を有した部分が第２領域７０Ｂの延びる方向に沿って連なる部分を含んでいる。また、第２領域７０Ｂは、第２領域７０Ｂの延びる方向に沿って複数の括れ部を有する帯状を有している。
【０１５０】  シート７０は、支持層７１とパターン構造７２とから構成され、１つの第１領域７０Ａには、複数の要素パターン構造７２ａが属している。各要素パターン構造７２ａは菱形状を有し、複数の要素パターン構造７２ａは、第１領域７０Ａの延びる方向に沿って連なっている。
【０１５１】  これに対して、各第２領域７０Ｂには、１つの要素パターン構造７２ａも属していない。言い換えれば、各第２領域７０Ｂは、支持層７１の一部のみから構成されている。  こうした第５例によっても、第３例と同等の効果を得ることができる。
【０１５２】  言い換えれば、ロール体の第５例において、シート７０は、支持層７１と、シート７０の表面に形成され、延在方向Ｄ１に沿って周期的に並ぶ複数の要素パターン構造群７２ｂとを含んでいる。各要素パターン構造群７２ｂは、支持層７１に支持されてシート７０の表面において凸部を形成する複数の要素パターン構造７２ａから構成されている。シート７０が拡がる平面と対向する平面視において、菱形状を有した複数の要素パターン構造７２ａによって、１つの要素パターン構造群７２ｂが構成されている。１つの要素パターン構造群７２ｂを構成する複数の要素パターン構造７２ａは、延在方向Ｄ１と幅方向Ｄ２との両方と交差する方向に沿って並んでいる。各要素パターン構造群７２ｂは、幅方向Ｄ２のほぼ全体にわたる長さを有し、かつ、延在方向Ｄ１において複数の要素パターン構造群７２ｂが所定の周期で繰り返されている。
【０１５３】  包絡輪郭線ＯＬは、１つの要素パターン構造群７２ｂに属する各要素パターン構造７２ａの外縁に沿って設定されている。菱形状を有した要素パターン構造７２ａを構成する各辺が、延在方向Ｄ１および幅方向Ｄ２の両方に対して傾いている。そのため、１つの要素パターン構造群領域ＧＲのなかで、幅方向Ｄ２における要素パターン構造群領域ＧＲの各端部から基準線ＬＤまでの長さが、延在方向Ｄ１に沿って周期的に変わり、これにより要素パターン構造群領域ＧＲの各端部から基準線ＬＤまでの距離が、延在方向Ｄ１に沿って周期的に変わっている。
【０１５４】  以上説明したように、ロール体の第２実施形態によれば、以下に列挙する効果を得ることができる。  （７）第１例から第５例の各々のように、複数の要素パターン構造を含む第１領域によれば、第１領域の全体にわたって連続する１つの要素パターン構造を有する構成と比べて、複数の要素パターン構造によって、複雑な形状を表現することができる。
【０１５５】  （８）第１例および第２例の各々のように、パターン構造が、互いに異なる形状を有した２種類以上の要素パターン構造を含む構成では、全ての要素パターン構造が同じ形状を有する構成と比べて、パターン構造の形状を複雑にすることができる。
【０１５６】  （９）第３例から第５例の各々のように、全ての要素パターン構造が同じ形状を有する構成であっても、巻芯１１の軸方向における所定の位置に要素パターン構造が連続して巻き付けられることが抑えられ、シートにおいて、巻芯１１の径方向に沿う厚さのばらつきが抑えられる。
【０１５７】  （１０）第２例のように、第１領域４０Ａだけでなく第２領域４０Ｂも要素パターン構造群４２ｂを含む構成では、第１領域４０Ａのみが要素パターン構造群４２ｂを含む構成と比べて、シート４０が拡がる平面と対向する平面視において、パターン構造４２が有する形状がより複雑になる。
【０１５８】  （１１）要素パターン構造群領域ＧＲのなかで、幅方向Ｄ２における各端部から、延在方向Ｄ１に平行な基準線ＬＤまでの長さが、延在方向Ｄ１に沿って周期的に変わるため、巻芯の軸方向において各端部の位置が周期的に変わる。それゆえに、巻芯の軸方向における各端部の位置が変わらない構成と比べて、巻芯に巻き付けられたシートに皺が生じることが抑えられる。
【０１５９】  なお、上述した第２実施形態は、以下のように適宜変更して実施することができる。  ・要素パターン構造群領域ＧＲは、幅方向Ｄ２における要素パターン構造群領域ＧＲの一方の端部から基準線ＬＤまでの長さが延在方向Ｄ１に沿って周期的に変わる一方で、他方の端部から基準線ＬＤまでの長さが延在方向Ｄ１において一定であってもよい。こうした構成であっても、要素パターン構造群領域ＧＲのなかで、少なくとも延在方向Ｄ１に沿って基準線ＬＤから端部までの距離が周期的に変わる端部では、シートに皺が生じることが抑えられる。
【０１６０】  ・第１例から第５例の各々は、図１１を参照して先に説明した第１実施形態の変形例における構成と組み合わせて実施してもよい。すなわち、各例において、シートが支持層とパターン層とを備え、パターン層が、パターン構造を含む凹凸構造体であってもよい。そして、パターン層では、第２領域に含まれる部分であって、かつ、要素パターン構造が位置しない部分も所定の厚さを有してもよい。
【０１６１】  ・第２例において、第１領域４０Ａに属する要素パターン構造群４２ｂと、第２領域４０Ｂに属する要素パターン構造群４２ｂとは、シート４０が拡がる平面と対向する平面視において、互いに異なる形状を有してもよい。すなわち、第１領域４０Ａに属する要素パターン構造群は、複数の第１要素パターン構造から構成され、第２領域４０Ｂに属する要素パターン構造群は、第１要素パターン構造とは異なる第２要素パターン構造から構成されてもよい。
【０１６２】  ・各要素パターン構造は、シートが拡がる平面と対向する平面視において、上述した形状に限らず、文字、数字、記号、および、絵柄などのいずれか１つを表現する形状を有していてもよい。
【０１６３】  ・第２実施形態の各例におけるロール体は、第１実施形態の変形例と同様、シートを備える一方で、巻芯を備えない構成であってもよい。
【０１６４】  ［実施例］  基材として、２３μｍの厚さを有するポリエチレンテレフタレートフィルムを準備し、下記の組成を有するレリーフ層用インキを乾燥後の厚さが１μｍになるようにグラビア印刷法を用いて基材に塗工した。これにより、５０００ｍの長さを有する６本の原反を準備した。そして、各原反を巻芯に巻き付けることによってロール体を得た。
【０１６５】  ［レリーフ層用インキ］  ウレタンアクリレート            ５０．０質量部  メチルエチルケトン              ３０．０質量部  酢酸エチル                      ２０．０質量部  光開始剤                          １．５質量部
【０１６６】  なお、ウレタンアクリレートとして日立化成（株）製のヒタロイド７９０３シリーズ：多官能（ヒタロイドは登録商標）を用い、かつ、光開始剤としてＢＡＳＦ社製のイルガキュア１８４（イルガキュアは登録商標）を用いた。
【０１６７】  次いで、巻芯に巻き付けた原反を繰り出し、ロールフォトポリマー法を用いて、レリーフ層用インキを用いて形成した塗工層に、外周面が凹凸面である円筒状の原版を押し当てて、塗工層のうち、基材に接する面とは反対側の面を凹凸面に加工した。塗工層に原版を押し当てるとき、プレス圧力を２Ｋｇｆ／ｃｍ２に設定し、プレス温度を８０℃に設定し、プレススピードを１０ｍ／ｍｉｎに設定した。
【０１６８】  塗工層に原版を押し当てると同時に、基材に対して塗工膜が位置する側とは反対側から紫外線を照射することによって、塗工膜を硬化させた。紫外線を照射するときには高圧水銀灯を用い、かつ、露光量を３００ｍＪ／ｃｍ２に設定した。これにより、深さが１２０ｎｍであり、周期が７００ｎｍである正弦波状を有したレリーフ面を有するレリーフ層を形成し、基材とレリーフ層とから構成される支持層を得た。そして、支持層を巻芯に巻き付けることによって、ロール体を得た。
【０１６９】  ロール体から支持層を繰り出し、ロール式の真空蒸着装置を用いて、レリーフ層のレリーフ面の全体に７０ｎｍの厚さを有するアルミニウム層を形成した。その後、アルミニウム層を有する支持層を巻芯に巻き付けることによって、ロール体を得た。
【０１７０】  ロール体からアルミニウム層と支持層との積層体を繰り出し、アルミニウム層の上に、グラビア印刷法を用いて下記の組成を有するマスク用インキを塗布することによって、マスクを形成した。このとき、６つのロール体において、互いに異なる形状を有するマスクを形成した。
【０１７１】  第１のロール体には、実施例１のロール体を得るために、図２を用いて先に説明したパターン層を形成するためのマスクを形成し、第２のロール体には、実施例２のロール体を得るために、図１９を用いて先に説明したパターン層を形成するためのマスクを形成した。また、第３のロール体には、実施例３のロール体を得るために、図２０を用いて先に説明したパターン層を形成するためのマスクを形成し、第４のロール体には、実施例４のロール体を得るために、図２１を用いて先に説明したパターン層を形成するためのマスクを形成した。
【０１７２】  また、第５のロール体には、実施例５のロール体を得るために、図２２を用いて先に説明したパターン層を形成するためのマスクを形成し、第６のロール体には、比較例１のロール体を得るために、図９を用いて先に説明したパターン層を形成するためのマスクを形成した。また、乾燥後において、各マスクが３μｍの厚さを有するようにアルミニウム層にマスク用インキを塗工した。
【０１７３】  ［マスク用インキ］  ポリアミド樹脂                  ２０．０質量部  エタノール                      ５０．０質量部  トルエン                        ３０．０質量部
【０１７４】  支持層とアルミニウム層との積層体にアルカリエッチング処理を行うことによって、支持層と要素パターン構造とから構成されたシートを得た。そして、シートを巻芯に巻き付けることによって、ロール体を得た。
【０１７５】  ［評価］  実施例１から実施例５の各々のロール体、および、比較例１のロール体において、シートを繰り出し、シートに皺が形成されているか否かを目視によって判断した。実施例１から実施例５の各々のロール体では、シートに皺が生じていないことが認められた一方で、比較例１のロール体では、シートに皺が生じていることが認められた。
【符号の説明】
【０１７６】  １０，Ｒ…ロール体、１１，Ｒ１…巻芯、１１Ｓ，Ｒ１Ｓ…外周面、１２，１２ａ，１２ｂ，１２ｃ，１２ｄ，３０，４０，５０，６０，７０，Ｒ２…シート、１２Ａ，１２Ａａ，１２Ａｂ，１２Ａｃ，１２Ａｄ，３０Ａ，４０Ａ，５０Ａ，６０Ａ，７０Ａ，Ｒ２Ａ…第１領域、１２Ａｅ，１２Ｂｅ…縁、１２Ａ１，２３ａ…第１部分、１２Ａ２，２３ｂ…第２部分、１２Ａ３…第３部分、１２Ｂ，１２Ｂａ，１２Ｂｂ，１２Ｂｃ，１２Ｂｄ，３０Ｂ，４０Ｂ，５０Ｂ，６０Ｂ，７０Ｂ，Ｒ２Ｂ…第２領域、１２Ｐ…パターン区分領域、１２Ｓ…表面、２１，３１，４１，５１，６１，７１，Ｒ２１…支持層、２１ａ，２２ｐ１…支持部、２２，３２，４２，５２，６２，７２，Ｒ２２…パターン構造、２２ａ，２２ｐ，３２ａ，４２ａ，５２ａ，６２ａ，７２ａ，Ｒ２２ａ…要素パターン構造、２２ｂ…窪み、２３，２３ｄ…パターン層、３２ｂ，４２ｂ，５２ｂ，６２ｂ，７２ｂ…要素パターン構造群、Ａ…回転軸、Ａｃ１…プリズム部、Ａｃ２…緩衝部、Ａｃ３…遷移部、Ｂｄ１…突条、Ｃ…セル、ＧＲ…要素パターン構造群領域、Ｌ…直線、ＬＢ，ＬＤ…基準線、ＯＬ…包絡輪郭線、Ｐ…基準点、Ｐｒ…プリズム、Ｐｒａ…頂点。
【図１】
2018101426.tif 000003
【図２】
2018101426.tif 000004
【図３】
2018101426.tif 000005
【図４】
2018101426.tif 000006
【図５】
2018101426.tif 000007
【図６】
2018101426.tif 000008
【図７】
2018101426.tif 000009
【図８】
2018101426.tif 000010
【図９】
2018101426.tif 000011
【図１０】
2018101426.tif 000012
【図１１】
2018101426.tif 000013
【図１２】
2018101426.tif 000014
【図１３】
2018101426.tif 000015
【図１４】
2018101426.tif 000016
【図１５】
2018101426.tif 000017
【図１６】
2018101426.tif 000018
【図１７】
2018101426.tif 000019
【図１８】
2018101426.tif 000020
【図１９】
2018101426.tif 000021
【図２０】
2018101426.tif 000022
【図２１】
2018101426.tif 000023
【図２２】
2018101426.tif 000024
【図２３】
2018101426.tif 000025
【図２４】
2018101426.tif 000026
【国際調査報告】
2018101426.tif 000027
2018101426.tif 000028
2018101426.tif 000029
2018101426.tif 000030